Podtech/llm-jp-corpus-v4-ja_patent huggingface dataset:
【手続補正書】
【提出日】平成31年3月28日(2019.3.28)
【手続補正１】
【補正対象書類名】明細書
【補正対象項目名】０００６
【補正方法】変更
【補正の内容】
【０００６】
本出願は水中ノイズ低減装置およびシステムおよびそのような装置を保管および展開する方法に関するものである。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第５，５８７，５６４号明細書
（特許文献２）  米国特許出願公開第２０１５／００８３５２０号明細書
（特許文献３）  米国特許出願公開第２０１３／０２９９２７４号明細書
（特許文献４）  米国特許出願公開第２０１３／０００１０１０号明細書
（特許文献５）  米国特許第３，０２２，６３２号明細書
（特許文献６）  米国特許第５，４５７，２９１号明細書
（特許文献７）  米国特許出願公開第２０１２／０３２４６４１号明細書
（非特許文献）
（非特許文献１）  ＷＯＣＨＮＥＲ  ｅｔ  ａｌ．，"Ａｔｔｅｎｕａｔｉｏｎ  ｏｆ  ｌｏｗ  ｆｒｅｑｕｅｎｃｙ  ｕｎｄｅｒｗａｔｅｒ  ｎｏｉｓｅ  ｕｓｉｎｇ  ａｒｒａｙｓ  ｏｆ  ａｉｒ−ｆｉｌｌｅｄ  ｒｅｓｏｎａｔｏｒｓ．"Ｉｎｔｅｒ−ｎｏｉｓｅ  ２０１４（２０１４），ｐｇ  １−２［ｏｎｌｉｎｅ］ＵＲＬ＝<ｈｔｔｐｓ：／／ｗｗｗ．ａｃｏｕｓｔｉｃｓ．ａｓｎ．ａｕ／ｃｏｎｆｅｒｅｎｃｅ＿ｐｒｏｃｅｅｄｉｎｇｓ／ＩＮＴＥＲＮＯＩＳＥ２０１４／ｐａｐｅｒｓ／ｐ５９５．ｐｄｆ>
【手続補正書】
【提出日】平成31年4月12日(2019.4.12)
【手続補正１】
【補正対象書類名】特許請求の範囲
【補正対象項目名】全文
【補正方法】変更
【補正の内容】
【特許請求の範囲】
【請求項１】
２０〜１００質量％の肉類似物および０〜８０質量％のソースを含むウェットタイプのペットフード製品であって、該肉類似物は、
・１０〜６０質量％のタンパク質であり、その少なくとも４０質量％が非動物性タンパク質であるタンパク質、
・３０〜９０質量％の水、
・０〜１５質量％のデンプン、および
・０〜２０質量％の脂肪、
を含み、前記肉類似物がデンプンを含有する場合、前記非動物性タンパク質および前記デンプンが、１：３を超える非動物性タンパク質対デンプンの質量比で該肉類似物中に存在し、０．１〜３質量％の酵母エキスを含有するウェットタイプのペットフード製品。
【請求項２】
前記肉類似物が少なくとも１５質量％の非動物性タンパク質を含有する、請求項１記載のウェットタイプのペットフード製品。
【請求項３】
前記非動物性タンパク質が、植物性タンパク質、微生物タンパク質、藻類タンパク質、卵タンパク質、乳タンパク質、昆虫のタンパク質、およびそれらの組合せから選択される、請求項１または２記載のウェットタイプのペットフード製品。
【請求項４】
前記非動物性タンパク質が植物性タンパク質である、請求項３記載のウェットタイプのペットフード製品。
【請求項５】
前記植物性タンパク質が、穀物のタンパク質、マメ科植物のタンパク質、およびそれらの組合せから選択される、請求項４記載のウェットタイプのペットフード製品。
【請求項６】
前記肉類似物が、１：１０から１：１の範囲の質量比で、酵母エキスおよび非動物性タンパク質を含有する、請求項１から５いずれか１項記載のウェットタイプのペットフード製品。
【請求項７】
前記肉類似物が２〜１２質量％の脂肪を含有する、請求項１から６いずれか１項記載のウェットタイプのペットフード製品。
【請求項８】
前記ペットフード製品が３０〜９０質量％の前記肉類似物および１０〜７０質量％の前記ソースを含有し、該ソースが０．３〜５質量％の酵母エキスを含有する、請求項１から７いずれか１項記載のウェットタイプのペットフード製品。
【請求項９】
前記ソースが、流体、ゲルまたはムースである、請求項８記載のウェットタイプのペットフード製品。
【請求項１０】
請求項１から９いずれか１項記載のウェットタイプのペットフード製品を製造する方法であって、肉類似物を、
・非動物性タンパク質の供給源を１種類以上の他のペットフード成分と混合して、１０〜４０質量％の非動物性タンパク質、３０〜９０質量％の水、および１〜５０質量％の１種類以上の他の食用成分を含有するタンパク質塊を提供し、
・前記タンパク質塊を０．１から５分間に亘り少なくとも１１０℃の温度に加熱して、前記非動物性タンパク質を凝固させ、
・その加熱された塊を肉類似物の小片に成形する、
ことによって、調製する工程を有してなる方法。
【請求項１１】
前記非動物性タンパク質の供給源が、乾燥物質の質量で、少なくとも１５％の非動物性タンパク質を含有する、請求項１０記載の方法。
【請求項１２】
前記非動物性タンパク質の供給源が、少なくとも０．１質量％の酵母エキスを含有するタンパク質塊の調製において、酵母エキスと混合される、請求項１０または１１記載の方法。
【請求項１３】
前記肉類似物の小片を、少なくとも０．１質量％の酵母エキスを含有するソースと組み合わせる工程をさらに含む、請求項１２記載の方法。
【請求項１４】
前記タンパク質塊の調製に用いられる前記１種類以上の他の成分が、肉、動物副産物およびそれらの組合せから選択される動物性材料を含む、請求項１３記載の方法。
【請求項１５】
コンパニオン・アニマルに給餌に給餌するための、請求項１から９いずれか１項記載のウェットタイプのペットフード製品の使用。
【請求項１６】
前記酵母エキスが、サッカロマイセス属、ピチア属、クルイベロマイセス属、ハンゼヌラ属、カンジダ属からなる群より選択される２種類以上の酵母からのエキスである、請求項１記載のウェットタイプのペットフード製品。
【請求項１７】
前記酵母エキスが、サッカロマイセス属および少なくとも１種類の他の酵母からのものである、請求項１６記載のウェットタイプのペットフード製品。
【請求項１８】
前記酵母エキスがサッカロマイセス・セレビシエのエキスである、請求項１記載のウェットタイプのペットフード製品。
【手続補正書】
【提出日】令和1年5月9日(2019.5.9)
【手続補正１】
【補正対象書類名】特許請求の範囲
【補正対象項目名】全文
【補正方法】変更
【補正の内容】
【特許請求の範囲】
【請求項１】
白血球を含む第１の複数の細胞を、複数の中空糸を有する中空糸型バイオリアクターへ導入するステップと、
前記第１の複数の細胞を活性化剤へ曝露し、前記中空糸型バイオリアクターにおける前記第１の複数の細胞の増殖を活性化させるステップと、
前記中空糸型バイオリアクターの前記複数の中空糸において前記第１の複数の細胞のうちの少なくとも一部の細胞を増殖させて、第２の複数の増殖細胞を生成するステップと、
前記バイオリアクターから前記第２の複数の増殖細胞を取り出すステップと、
を有する細胞の増殖方法。
【請求項２】
請求項１記載の細胞の増殖方法において、前記第１の複数の細胞のうちの前記一部の細胞は、Ｔ細胞を含むことを特徴とする細胞の増殖方法。
【請求項３】
請求項２記載の細胞の増殖方法において、前記第１の複数の細胞は、白血球アフェレーシスプロセスを用いて、生成されることを特徴とする細胞の増殖方法。
【請求項４】
請求項３記載の細胞の増殖方法において、前記第１の複数の細胞は、追加の精製処理を行わずに、前記中空糸型バイオリアクターに付加されることを特徴とする細胞の増殖方法。
【請求項５】
請求項４記載の細胞の増殖方法において、前記第１の複数の細胞は、赤血球を含むことを特徴とする細胞の増殖方法。
【請求項６】
請求項５記載の細胞の増殖方法において、前記第１の複数の細胞は、血小板を含むことを特徴とする細胞の増殖方法。
【請求項７】
請求項６記載の細胞の増殖方法において、前記第１の複数の細胞は、顆粒球を含むことを特徴とする細胞の増殖方法。
【請求項８】
請求項７記載の細胞の増殖方法において、前記第１の複数の細胞の前記活性化剤への前記曝露は、前記第１の複数の細胞を、表面に前記活性化剤を有するビーズへ曝露することを含むことを特徴とする細胞の増殖方法。
【請求項９】
請求項７記載の細胞の増殖方法において、前記第１の複数の細胞の前記活性化剤への前記曝露は、前記第１の複数の細胞を、前記活性化剤を有する樹状細胞へ曝露することを含むことを特徴とする細胞の増殖方法。
【請求項１０】
請求項９記載の細胞の増殖方法において、前記活性化剤は、１又は複数の抗原を含むことを特徴とする細胞の増殖方法。
【請求項１１】
請求項８記載の細胞の増殖方法において、前記活性化剤は、抗ＣＤ２抗体、抗ＣＤ３抗体、抗ＣＤ２８抗体及びそれらの組み合わせからなる群のうちから選択された１又は複数の抗体を含むことを特徴とする細胞の増殖方法。
【請求項１２】
請求項１記載の細胞の増殖方法において、前記ステップは、閉鎖系システムにおいて行われることを特徴とする細胞の増殖方法。
【請求項１３】
請求項１１記載の細胞の増殖方法において、前記第１の複数の細胞のうちの少なくとも一部の細胞を増殖させて、第２の複数の増殖細胞を生成する前記ステップは、前記中空糸型バイオリアクター内において培地を循環させるステップを有することを特徴とする細胞の増殖方法。
【請求項１４】
請求項１３記載の細胞の増殖方法において、前記培地は、インターロイキン２（ＩＬ−２）、インターロイキン４（ＩＬ−４）、インターロイキン５（ＩＬ−５）、インターロイキン７（ＩＬ−７）、インターロイキン１５（ＩＬ−１５）、及びそれらの組み合わせのうちの１又は複数を含むことを特徴とする細胞の増殖方法。
【請求項１５】
細胞を増殖するための細胞増殖システムであって、該システムは、
少なくとも両端部を有する第１流体流路を備える中空糸型バイオリアクターと、
前記第１流体流路と流体的に関連付けられた流体入口路と、
前記第１流体流路において流体を循環させる第１ポンプと、
プロセッサと、
メモリと、
を備え、
前記プロセッサは命令を実行可能であり、
前記メモリは前記命令を記憶し、
前記第１流体流路の第１端部は、前記中空糸型バイオリアクターの第１ポートと流体的に関連付けられ、前記第１流体流路の第２端部は、前記中空糸型バイオリアクターの第２ポートと流体的に関連付けられ、前記第１流体流路は、前記中空糸型バイオリアクターの毛細管内側部分を有し、
前記流体入口路を介して、前記第１流体流路には、複数の細胞が導入され、
前記命令は、前記プロセッサによって実行されるとき、
白血球を含む第１の複数の細胞を有する第１の流体を、前記中空糸型バイオリアクターの前記毛細管内側部分へ導入するステップと、
前記毛細管内側部分において前記第１の複数の細胞を第１の活性化剤へ曝露し、前記中空糸型バイオリアクターにおける前記第１の複数の細胞の増殖を活性化させるステップと、
培地を含む第２の流体を前記毛細管内側部分に導入し、前記第１の複数の細胞のうちの少なくとも一部の細胞を増殖させ、第２の複数の増殖細胞を生成するステップと、
前記中空糸型バイオリアクターから前記第２の複数の増殖細胞を取り出すステップと、
を有する方法を実行することを特徴とする細胞増殖システム。
【請求項１６】
請求項１５記載の細胞増殖システムにおいて、前記細胞増殖システムは、閉鎖系システムであることを特徴とする細胞増殖システム。
【請求項１７】
請求項１６記載の細胞増殖システムにおいて、前記第２の複数の増殖細胞はＴ細胞を含むことを特徴とする細胞増殖システム。
【請求項１８】
請求項１５記載の細胞増殖システムにおいて、前記第１の流体は、前記第１の活性化剤を表面に有するビーズを含むことを特徴とする細胞増殖システム。
【請求項１９】
請求項１８記載の細胞増殖システムにおいて、前記第１の活性化剤は、抗ＣＤ２抗体、抗ＣＤ３抗体、抗ＣＤ２８抗体及びそれらの組み合わせからなる群のうちから選択された１又は複数の抗体を含むことを特徴とする細胞増殖システム。
【請求項２０】
請求項１９記載の細胞増殖システムにおいて、前記培地は、インターロイキン２（ＩＬ−２）、インターロイキン４（ＩＬ−４）、インターロイキン５（ＩＬ−５）、インターロイキン７（ＩＬ−７）、インターロイキン１５（ＩＬ−１５）、及びそれらの組み合わせからなる群のうちから選択された１又は複数のサイトカインを含むことを特徴とする細胞増殖システム。
【手続補正書】
【提出日】平成31年4月12日(2019.4.12)
【手続補正１】
【補正対象書類名】特許請求の範囲
【補正対象項目名】全文
【補正方法】変更
【補正の内容】
【特許請求の範囲】
【請求項１】
殺菌されたウェットタイプのペットフード製品を調製する方法であって、
ａ）含水率が少なくとも４０質量％である肉塊を、以下の成分：
・該肉塊の３０〜９５質量％の、肉、動物副産物およびそれらの組合せから選択される粉砕動物性材料、
・該肉塊の１〜４０質量％の熱凝結性結合剤、および
・該肉塊の０〜６０質量％の１種類以上の他のペットフード成分、
と混合することによって、調製する工程、
ｂ）前記肉塊を少なくとも７０℃の温度に加熱して前記結合剤を熱凝結させ、その加熱された肉塊を再構成肉片に成形する工程、
ｃ）前記再構成肉片を、必要に応じて１種類以上の他のペットフード成分と共に、パッケージに導入し、該パッケージを封止して、包装されたウェットタイプのペットフード製品を製造する工程、および
ｄ）前記パッケージ内の製品を少なくとも８０℃の温度に加熱することによって、前記包装されたペットフード製品を殺菌する工程、
を有してなり、さらに、（ｉ）殺菌前に、前記ウェットタイプのペットフード製品の０．１〜３質量％の総量の酵母エキスを添加する工程、および（ｉｉ）殺菌前に、前記ウェットタイプのペットフード製品の０．０１〜５質量％の総量のメイラード成分を添加する工程を含み、該メイラード成分が、カルボニル源、メイラード反応風味およびそれらの組合せから選択され、該カルボニル源が、メイラード反応を行うことができるカルボニル化合物を乾燥物質で少なくとも１０質量％含有するものである、方法。
【請求項２】
前記熱凝結性結合剤が、血漿、卵白、セルロースエーテル、穀物のタンパク質、大豆タンパク質、デンプンおよびそれらの組合せから選択される、請求項１記載の方法。
【請求項３】
前記カルボニル化合物が、単糖類、二糖類、ウロン酸およびそれらの組合せから選択される、請求項１または２記載の方法。
【請求項４】
前記カルボニル化合物が、キシロース、ブドウ糖、ショ糖、ラムノース、乳糖、マルトースおよびそれらの組合せから選択される、請求項３記載の方法。
【請求項５】
前記カルボニル化合物が、前記ウェットタイプのペットフード製品の０．０２〜２．５質量％の総量で添加される、請求項１から４いずれか１項記載の方法。
【請求項６】
前記メイラード成分が、
・少なくとも２０μｇ／ｋｇの、２，３，５−トリメチルピラジン、２−エチル−３，５−ジメチルピラジン、２，３−ジエチル−５−メチルピラジンおよびそれらの組合せから選択される置換ピラジン、
・少なくとも１０ｍｇ／ｋｇの、２−アセチルチアゾール、２−メチルチアゾール、４−メチルチアゾールおよびそれらの組合せから選択される置換チアゾール、
・少なくとも５ｍｇ／ｋｇの、メチオナール、２−メチルブタナール、３−メチルブタナールおよびそれらの組合せから選択されるストレッカーアルデヒド、
・少なくとも３０ｍｇ／ｋｇの、４−ヒドロキシ−２，５−ジメチル−３（２Ｈ）−フラノン、４−ヒドロキシ−５−メチル−３（２Ｈ）−フラノン、３−ヒドロキシ−４，５−ジメチルフラン−２（５Ｈ）−オンおよびそれらの組合せから選択される置換フランおよびフラノン、または
・少なくとも１０μｇ／ｋｇの２−フルフリルチオール、
の１種類以上を含む、請求項１から５いずれか１項記載の方法。
【請求項７】
前記殺菌工程の前に、前記包装されたウェットタイプのペットフード製品が、タンパク質を構成するアミノ酸、ヒドロキシプロリン、システイン、オルニチンおよびそれらの組合せから選択されるアミノ化合物を０．０１〜２質量％で含有する、請求項１から６いずれか１項記載の方法。
【請求項８】
前記ペットフード製品の少なくとも０．０１質量％の総量を提供するのに十分な量で前記アミノ化合物の供給源を添加する工程をさらに含み、該アミノ化合物の供給源は、乾燥物質の質量で少なくとも５％のアミノ化合物を含有する、請求項７記載の方法。
【請求項９】
前記アミノ化合物が、システイン、メチオニン、プロリン、ロイシン、フェニルアラニン、グルタミン酸およびそれらの組合せから選択されるアミノ酸である、請求項８記載の方法。
【請求項１０】
前記再構成肉片が、前記パッケージの密封前に、ソースと組み合わされ、該ソースが少なくとも０．０２質量％の前記メイラード成分を含有する、請求項１から９いずれか１項記載の方法。
【請求項１１】
前記再構成肉片が、前記パッケージの密封前に、ソースと組み合わされ、該ソースが少なくとも０．０２質量％の前記アミノ化合物を含有する、請求項１から１０いずれか１項記載の方法。
【請求項１２】
タウリンが、前記ウェットタイプのペットフード製品の０．１〜１質量％の濃度で該ウェットタイプのペットフード製品に添加される、請求項１から１１いずれか１項記載の方法。
【手続補正書】
【提出日】令和1年5月31日(2019.5.31)
【手続補正１】
【補正対象書類名】特許請求の範囲
【補正対象項目名】全文
【補正方法】変更
【補正の内容】
【特許請求の範囲】
【請求項１】
基地局における無線通信の方法において、
第１のユーザ機器（ＵＥ）に関するダウンリンク制御情報（ＤＣＩ）を前記基地局において決定することと、ここにおいて、前記第１のＵＥに関する前記ＤＣＩは、変調次数情報、前記第１のＵＥにより使用される空間レイヤの第１のセットを示す第１のビットマップを含む空間レイヤ情報、および前記第１のＵＥの電力比情報と、第２のＵＥにより使用される空間レイヤの第２のセットを示す第２のビットマップを含む、前記第２のＵＥの空間レイヤ情報およびプリコーディングマトリクスインジケータ（ＰＭＩ）とを備え、前記第１のビットマップは前記第２のビットマップのサブセットである、および
前記第１のＵＥに前記決定されたＤＣＩを送信することと、
を備える、方法。
【請求項２】
前記第１のＵＥはベースレイヤ（ＢＬ）ＵＥであり、前記第２のＵＥはエンハンスメントレイヤ（ＥＬ）ＵＥである、請求項１の方法。
【請求項３】
前記第１のビットマップの長さは前記基地局における送信アンテナの数に基づいて設定される、請求項２の方法。
【請求項４】
前記電力比情報は無線リソース制御（ＲＲＣ）シグナリングを介して前記第１のＵＥ及び前記第２のＵＥに送信される、請求項２の方法。
【請求項５】
前記電力比情報はトラフィック対パイロット比（ＴＰＲ）である、請求項４の方法。
【請求項６】
前記ＴＰＲは前記第１のＵＥへの基準信号電力に対するトータルＢＬデータリソースエレメント（ＲＥ）電力の比を示す、請求項５の方法。
【請求項７】
前記電力比情報はＥＬのみの空間レイヤとＢＬ空間レイヤとの間の電力比を含む、請求項２の方法。
【請求項８】
前記第１のＵＥに関する前記ＤＣＩはさらに前記第１のＵＥがベースレイヤ（ＢＬ）ＵＥであるかまたはエンハンスメントレイヤ（ＥＬ）ＵＥであるかを示す情報を含む、請求項１の方法。
【請求項９】
基地局における無線通信のための装置において、
第１のユーザ機器（ＵＥ）に関するダウンリンク制御情報（ＤＣＩ）を前記基地局において決定する手段と、ここにおいて、前記第１のＵＥに関する前記ＤＣＩは、変調次数情報、前記第１のＵＥにより使用される空間レイヤの第１のセットを示す第１のビットマップを含む空間レイヤ情報、および前記第１のＵＥの電力比情報と、第２のＵＥにより使用される空間レイヤの第２のセットを示す第２のビットマップを含む、前記第２のＵＥの空間レイヤ情報およびプリコーディングマトリクスインジケータ（ＰＭＩ）とを備え、前記第１のビットマップは前記第２のビットマップのサブセットである、および
前記第１のＵＥに前記決定されたＤＣＩを送信する手段と、
を備える、装置。
【請求項１０】
前記第１のＵＥはベースレイヤ（ＢＬ）ＵＥであり、前記第２のＵＥはエンハンスメントレイヤ（ＥＬ）ＵＥである、請求項９の装置。
【請求項１１】
前記第１のビットマップの長さは前記基地局における送信アンテナの数に基づいて設定される、請求項１０の装置。
【請求項１２】
前記電力比情報は無線リソース制御（ＲＲＣ）シグナリングを介して前記第１のＵＥおよび前記第２のＵＥに送信される、請求項１０の装置。
【請求項１３】
前記電力比情報はトラフィック対パイロット比（ＴＰＲ）であり、前記ＴＰＲは前記第１のＵＥへの基準信号電力に対するトータルＢＬデータリソースエレメント（ＲＥ）電力の比を示す、請求項１２の装置。
【請求項１４】
前記電力比情報はＥＬのみの空間レイヤとＢＬ空間レイヤとの間の電力比を含む、請求項１０の装置。
【請求項１５】
基地局において無線通信のためのコンピュータ実行可能なコードを記憶する非一時的コンピュータ可読媒体において、
第１のユーザ機器（ＵＥ）に関するダウンリンク制御情報（ＤＣＩ）を前記基地局において決定するためのコードと、ここにおいて、前記第１のＵＥに関する前記ＤＣＩは、変調次数情報、前記第１のＵＥにより使用される空間レイヤの第１のセットを示す第１のビットマップを含む空間レイヤ情報、および前記第１のＵＥの電力比情報と、第２のＵＥにより使用される空間レイヤの第２のセットを示す第２のビットマップを含む、前記第２のＵＥの空間レイヤ情報およびプリコーディングマトリクスインジケータ（ＰＭＩ）とを備え、前記第１のビットマップは前記第２のビットマップのサブセットである、および
前記第１のＵＥに前記決定されたＤＣＩを送信するためのコードと、
を備える、非一時的コンピュータ可読媒体。
【手続補正書】
【提出日】平成31年4月12日(2019.4.12)
【手続補正１】
【補正対象書類名】特許請求の範囲
【補正対象項目名】全文
【補正方法】変更
【補正の内容】
【特許請求の範囲】
【請求項１】
ワイヤレス電力送信機であって、
1つまたは複数の受信機デバイスに充電電力をワイヤレス結合するための磁場を生成するように構成された電力送信コイルであり、前記磁場が、充電領域を画定するエリアにわたる磁場分布を有する、電力送信コイルと、
前記磁場分布を変更するために、前記電力送信コイルによって生成された前記磁場を変更するように構成された回路と、
前記回路に動作可能に結合されたコントローラであり、前記1つまたは複数の受信機デバイスの検出された特性に応答して前記磁場分布を、前記充電領域にわたって実質的に均一である場の分布と、前記充電エリアの中央部分が前記中央部分の外側の部分よりも大きな磁場を有する磁場を含む分布との間で、変更するように前記回路を制御するように構成された、コントローラと
を含むワイヤレス電力送信機。
【請求項２】
前記コントローラは、前記磁場分布が、前記回路が非アクティブであるときの磁場分布よりも不均一であるように、前記検出された特性に応答して前記充電エリアの少なくとも一部分内の前記磁場分布を変更するために、前記磁場を選択的に増幅するように前記回路を制御するように構成される、請求項1に記載のワイヤレス電力送信機。
【請求項３】
前記回路が共振回路として動作するように構成される、請求項2に記載のワイヤレス電力送信機。
【請求項４】
前記コントローラは、前記磁場分布が、前記回路が非アクティブであるときの磁場分布よりも均一であるように、前記検出された特性に応答して前記充電エリアの少なくとも一部分内の前記磁場分布を変更するために、前記磁場を選択的に減衰させるように前記回路を制御するように構成される、請求項1に記載のワイヤレス電力送信機。
【請求項５】
前記回路が短絡回路として動作するように構成される、請求項4に記載のワイヤレス電力送信機。
【請求項６】
前記磁場分布が、前記充電領域にわたって実質的に一定であり、前記コントローラが、前記検出された特性に応答して前記磁場分布を変更するために、前記磁場を選択的に増幅する、および前記磁場を選択的に減衰させる、のうちの一方を行うように前記回路を制御するように構成される、請求項1に記載のワイヤレス電力送信機。
【請求項７】
前記電力送信コイルが、複数のコイルセグメントを備え、前記回路が、前記電力送信コイルの前記複数のコイルセグメントのうちの1つに隣接して配置される、請求項1に記載のワイヤレス電力送信機。
【請求項８】
前記電力送信コイルが、複数のコイルセグメントを備え、前記回路が、前記電力送信コイルの前記複数のコイルセグメントのうちの1つに接続される、請求項1に記載のワイヤレス電力送信機。
【請求項９】
前記電力送信コイルが、前記電力送信コイルの周囲に配置された第1のアンテナコイルセグメントおよび第2のアンテナコイルセグメントと、前記電力送信コイルの中央に配置された第3のアンテナコイルセグメントとを有する複数のアンテナコイルセグメントを含み、前記回路が、前記第3のアンテナコイルセグメントに接続されている、請求項1に記載のワイヤレス電力送信機。
【請求項１０】
前記第3のアンテナコイルセグメントに接続された前記回路が、前記電力送信コイルの中央に向かって前記磁場を選択的に増幅するように構成される、請求項9に記載のワイヤレス電力送信機。
【請求項１１】
前記第3のアンテナコイルセグメントに接続された前記回路が、前記電力送信コイルの中央に向かって前記磁場を選択的に減衰させるように構成される、請求項9に記載のワイヤレス電力送信機。
【請求項１２】
1つまたは複数の受信機デバイスをワイヤレス充電または電力供給するための充電領域を画定するエリアにわたる磁場分布を有する磁場を生成するように構成されたワイヤレス電力送信機装置を動作させる方法であって、
前記ワイヤレス電力送信機装置によって生成された前記磁場を介して充電電力をワイヤレス結合する量または効率を示す1つまたは複数の受信機デバイスの特性を検出するステップと、
前記特性を検出したことに応答して前記充電領域内の前記磁場分布を、前記充電領域にわたって実質的に均一である場の分布と、前記充電エリアの中央部分が前記中央部分の外側の部分よりも大きな磁場を有する磁場を含む分布との間で、変更するために前記磁場を変更するステップと
を含む方法。
【請求項１３】
前記方法は、前記磁場分布が、前記磁場が変更されないときの磁場分布とは異なるように、前記1つまたは複数の受信機デバイスの特性に応じて前記充電エリアの少なくとも一部分内の前記磁場を選択的に増幅するか、または前記磁場を選択的に減衰させるステップをさらに含む、請求項12に記載の方法。
【請求項１４】
前記特性を検出するステップが、前記1つまたは複数の受信機デバイスからメッセージを受信するステップを含む、請求項12に記載の方法。
【請求項１５】
検出される前記特性が、所与の時点で前記充電領域に存在する前記1つもしくは複数の受信機デバイスの数、または前記1つもしくは複数の受信機デバイスによって受信された電力の量、または前記ワイヤレス電力送信機装置と前記1つもしくは複数の受信機デバイスとの間の結合の量、または前記1つもしくは複数の受信機デバイスの電力要件、または前記1つもしくは複数の受信機デバイス内の金属の量、または前記1つもしくは複数の受信機デバイスのサイズ、またはそれらの任意の組合せのうちの少なくとも1つを含む、請求項12に記載の方法。
【手続補正書】
【提出日】令和1年5月28日(2019.5.28)
【手続補正１】
【補正対象書類名】明細書
【補正対象項目名】００９４
【補正方法】変更
【補正の内容】
【００９４】
上記の例示的実施形態を参照すれば、さらに多くの修正および変形が当業者には思いつくであろう。上記の例示的実施形態は単に例として与えられており、本開示の範囲を限定することは意図されていない。本開示の範囲は、付属の請求項によってのみ決定される。
特に、異なる実施形態からの異なる特徴が適宜交換されてもよい。
上述の実施形態の一部又は全部は、以下の付記のように記載され得るが、以下には限定されない。
（付記１）
位置合わせ誤差マップと呼ばれる画像の複数のピクセルの鮮鋭レベルを表わすマップを取得するための、プロセッサを有する装置であって、プロセッサは、関心オブジェクトの三次元モデルから得られた再合焦表面と関心オブジェクトに関係する収集された四次元ライトフィールド・データに基づく焦点スタックとの交わりを計算することによって生成された、関心オブジェクトの画像に関係する位置合わせ誤差マップを取得するよう構成されている、装置。
（付記２）
プロセッサは、再合焦表面を、参照位置に設置されたときの関心オブジェクトの三次元モデルの距離マップを計算することによって決定するよう構成されている、付記１記載の装置。
（付記３）
プロセッサは、再合焦表面と焦点スタックとの交わりを、再合焦されるべき画像の各ピクセルについて、あらかじめ定義された再合焦表面からの、焦点スタックをなす画像のうちの一つに対応する再合焦距離を決定することによって計算するよう構成されている、付記１または２記載の装置。
（付記４）
プロセッサは、表示されるべき位置合わせ誤差マップの見え方を、再合焦された画像のピクセルの鮮鋭レベルに関係する情報に基づいて生成するよう構成されている、付記１ないし３のうちいずれか一項記載の装置。
（付記５）
プロセッサは、得られた位置合わせ誤差マップを、装置の表示装置に表示するよう構成されている、付記１ないし４のうちいずれか一項記載の装置。
（付記６）
位置合わせ誤差マップと呼ばれる画像の複数のピクセルの鮮鋭レベルを表わす位置合わせ誤差マップを取得するための方法であって、方法は、関心オブジェクトの三次元モデルから得られた再合焦表面と関心オブジェクトに関係する収集された四次元ライトフィールド・データに基づく焦点スタックとの交わりを計算することによって生成される、関心オブジェクトの画像に関係する位置合わせ誤差マップを取得することを含む、方法。
（付記７）
再合焦表面を決定することは、参照位置に設置されたときの関心オブジェクトの三次元モデルの距離マップを計算することを含む、付記６記載の方法。
（付記８）
再合焦表面と焦点スタックとの交わりを計算することは、再合焦されるべき画像の各ピクセルについて、再合焦表面からの、焦点スタックをなす画像のうちの一つに対応する再合焦距離を決定することを含む、付記６または７記載の方法。
（付記９）
表示されるべき位置合わせ誤差マップの見え方を、再合焦された画像のピクセルの鮮鋭レベルに関係する情報に基づいて生成することをさらに含む、付記６ないし８のうちいずれか一項記載の方法。
（付記１０）
得られた位置合わせ誤差マップを、表示装置に表示することを含む、付記６ないし９のうちいずれか一項記載の方法。
（付記１１）
プロセッサによって実行されたときに、付記６ないし１０のうちいずれか一項記載の、画像の鮮鋭レベルを表わす位置合わせ誤差マップを取得するための方法を実装するためのプログラム・コード命令を含むことを特徴とする、コンピュータ・プログラム。
（付記１２）
プロセッサに、付記６ないし１０のうちいずれか一項記載の、画像の鮮鋭レベルを表わす位置合わせ誤差マップを取得するための方法を実行させるための命令を記憶しているプロセッサ可読媒体。
（付記１３）
コンピューティング装置上で実行されたときに、付記６ないし１０のうちいずれか一項記載の、画像の鮮鋭レベルを表わす位置合わせ誤差マップを取得するための方法を実装するためのプログラム・コードの命令を担持している非一時的な記憶媒体。
【手続補正書】
【提出日】令和1年7月5日(2019.7.5)
【手続補正１】
【補正対象書類名】特許請求の範囲
【補正対象項目名】全文
【補正方法】変更
【補正の内容】
【特許請求の範囲】
【請求項１】
通信装置であって、
１以上の通信チャネルにおいて複数の他の通信装置にデータを送信させるために、当該通信チャネルを周波数ドメインで分割した複数のリソースユニットの情報を含むトリガーフレームを送信する送信手段と、
前記送信手段により送信された前記トリガーフレームに応答した前記複数の他の通信装置からデータを受信する受信手段と、
を有し、
前記トリガーフレームは、前記複数のリソースユニットの各々について、ＩＥＥＥ８０２．１１シリーズ規格において規定されたアクセスカテゴリを示す情報を含むことを特徴とする通信装置。
【請求項２】
前記受信手段は、複数のＭＰＤＵからなるデータを受信することを特徴とする請求項１に記載の通信装置。
【請求項３】
前記アクセスカテゴリを示す情報は、バックグランドデータに対するＡＣ＿ＢＫ、ベストエフォートデータに対するＡＣ＿ＢＥ、ビデオアプリケーションに対するＡＣ＿ＶＩ及びボイスアプリケーションに対するＡＣ＿ＶＯのいずれかを示す情報であることを特徴とする請求項１又は２に記載の通信装置。
【請求項４】
前記通信装置及び前記複数の他の通信装置が属する無線ネットワークの状況に基づいて、前記トリガーフレームを生成する生成手段をさらに有することを特徴とする請求項１から３のいずれか１項に記載の通信装置。
【請求項５】
前記無線ネットワークの状況に基づいて、前記トリガーフレームが示す前記リソースユニットの数を決定する決定手段を更に有し、
前記生成手段は、前記決定手段により決定された数の前記複数のリソースユニットの情報を含む前記トリガーフレームを生成することを特徴とする請求項４に記載の通信装置。
【請求項６】
前記無線ネットワークの状況は、前記無線ネットワークに属する装置の数、前記無線ネットワークにおける通信の衝突数又は衝突率、前記無線ネットワークにおける通信のデータ量、前記無線ネットワークにおける前記アクセスカテゴリ毎の通信のデータ量、媒体使用率の少なくともいずれか１つであることを特徴とする請求項４又は５に記載の通信装置。
【請求項７】
前記トリガーフレームは、ＩＥＥＥ８０２．１１ａｘ規格に準拠したトリガーフレームであることを特徴とする請求項１から６のいずれか１項に記載の通信装置。
【請求項８】
前記リソースユニットは、ＩＥＥＥ８０２．１１ａｘ規格に準拠したリソースユニットであることを特徴とする請求項１から７のいずれか１項に記載の通信装置。
【請求項９】
前記リソースユニットは、ＩＥＥＥ８０２．１１ａｘ規格において規定された最小周波数幅を有することを特徴とする請求項１から８のいずれか１項に記載の通信装置。
【請求項１０】
通信装置の通信方法であって、
１以上の通信チャネルにおいて複数の他の通信装置にデータを送信させるために、当該通信チャネルを周波数ドメインで分割した複数のリソースユニットの情報を含むトリガーフレームを送信するステップと、
送信された前記トリガーフレームに応答した前記複数の他の通信装置からデータを受信するステップと、
を有し、
前記トリガーフレームは、前記複数のリソースユニットの各々について、ＩＥＥＥ８０２．１１シリーズ規格において規定されたアクセスカテゴリを示す情報を含むことを特徴とする通信方法。
【請求項１１】
通信装置のコンピュータに、
１以上の通信チャネルにおいて複数の他の通信装置にデータを送信させるために、当該通信チャネルを周波数ドメインで分割した複数のリソースユニットの情報を含むトリガーフレームを送信するステップと、
送信された前記トリガーフレームに応答した前記複数の他の通信装置からデータを受信するステップと、
を実行させるプログラムを記憶し、
前記トリガーフレームは、前記複数のリソースユニットの各々について、ＩＥＥＥ８０２．１１シリーズ規格において規定されたアクセスカテゴリを示す情報を含むことを特徴とするコンピュータ読取り可能な記憶媒体。
【手続補正２】
【補正対象書類名】明細書
【補正対象項目名】発明の名称
【補正方法】変更
【補正の内容】
【発明の名称】通信装置、通信方法及び記憶媒体
【誤訳訂正書】
【提出日】平成31年2月1日(2019.2.1)
【誤訳訂正１】
【訂正対象書類名】明細書
【訂正対象項目名】００５３
【訂正方法】変更
【訂正の内容】
【００５３】
このデザインの元のキューブコーナー素子（即ち、変位体積高さのないもの）は、０度の照射角及び０度の配向の場合に、約５８％のＴＬＲ（入射光のリターン）を有するものと計算された。グレースケール値（２ｎ−１）（ここで、ｎは、画像のビット深度である）における白に相当する、このＴＬＲ値。元の体積高さの約７０％に相当する変位体積高さを有する変形キューブコーナー素子のＴＬＲは、約３％と計算された。このＴＬＲ値は、黒（グレースケール値０）に相当するであろう。続いて、複数の中間グレースケール値を、可能な非線形画像ガンマ−調節関数（possibly non-linear image gamma-adjusting function）を使用して、数学的に決定する。この関数は、より多くのデータ値を、人間の目でより簡単に複数のグレースケール値を識別できる、グレースケールカーブの複数の中間領域に割り振る。
【誤訳訂正２】
【訂正対象書類名】特許請求の範囲
【訂正対象項目名】全文
【訂正方法】変更
【訂正の内容】
【特許請求の範囲】
【請求項１】
再帰反射性シートであって、
キューブコーナー素子を含む構造化表面であって、該キューブコーナー素子の少なくとも一部は、熱的に剪断されたキューブコーナー素子である、構造化表面を含み、
該熱的に剪断されたキューブコーナー素子は、複数の中間グレースケール値を含むグレースケールマーキングを形成している、再帰反射性シート。
【請求項２】
請求項１に記載の再帰反射性シートであって、前記グレースケールマーキングは、
第１の縮小光学的有効体積を有する、第１の複数の熱的に剪断されたキューブコーナー素子を含む、第１の画素と、
該第１の縮小光学的有効体積とは異なる、第２の縮小光学的有効体積を有する、第２の複数の熱的に剪断されたキューブコーナー素子を含む、第２の画素と、を更に含む、再帰反射性シート。
【請求項３】
前記グレースケールマーキングは、グラフィック画像、写真画像、セキュリティマーク、形状、図形、記号、デザイン、文字、数字、バーコード、ＱＲコード、英数字、及び印のうちの１つである、請求項１に記載の再帰反射性シート。
【請求項４】
前記キューブコーナー素子は、熱可塑性ポリマーを含む、請求項１に記載の再帰反射性シート。
【請求項５】
再帰反射性シートであって、
縮小光学的有効体積を有する変形キューブコーナー素子のアレイを含む構造化表面であって、該アレイは、複数の画素を含み、第１の画素は、第１の全光線リターン値を有するキューブコーナー素子を含み、該第１の画素に隣接する第２の画素は、該第１の全光線リターン値とは異なる第２の全光線リターン値を有するキューブコーナー素子を含む、構造化表面を含み、前記キューブコーナー素子が、熱的な剪断の程度に応じた複数の中間グレースケール値を含むグレースケールマーキングを形成している、再帰反射性シート。
【手続補正書】
【提出日】平成31年3月15日(2019.3.15)
【手続補正１】
【補正対象書類名】特許請求の範囲
【補正対象項目名】全文
【補正方法】変更
【補正の内容】
【特許請求の範囲】
【請求項１】
カプセルまたはブリスターストリップなどの容器に含まれる製剤をユーザに供給するように適合された吸入器であって、
前記容器のデータ記憶手段に情報が記憶されており、前記容器の前記データ記憶手段はＲＦＩＤコンポーネントおよび／またはＮＦＣコンポーネントを備え、
前記吸入器は、前記ＲＦＩＤおよび／またはＮＦＣコンポーネントからそれぞれの前記情報を受信するための対応するユニットとして低電力無線アンテナを備える、吸入器。
【請求項２】
前記容器の前記データ記憶手段は、トランスポンダおよび／または磁気コードおよび／または電子回路チップおよび／または光学的に読取可能なバーコードおよび／または光によって検出可能な着色剤をさらに備える、請求項１に記載の吸入器。
【請求項３】
前記吸入器は、光を伝達して検出する光電子デバイスを備える、請求項１または２に記載の吸入器。
【請求項４】
前記吸入器は磁界検出器および／または電界検出器を備え、前記吸入器は前記容器のスピン運動などの動きを検出するように適合されている、請求項１から３のいずれか１項に記載の吸入器。
【請求項５】
前記吸入器は、前記容器または前記容器のコンパートメントが開けられているまたは突き刺されているか否かを検出するように適合されている、請求項１から４のいずれか１項に記載の吸入器。
【請求項６】
前記容器はたとえばコーティングなどの導電部を備え、前記吸入器は前記容器の電気的特性を測定するように適合されており、前記吸入器によって測定される前記電気的特性は、前記容器または前記容器のそれぞれのコンパートメントが開けられているまたは突き刺されているか否かに依存する、請求項１から５のいずれか１項に記載の吸入器。
【請求項７】
前記吸入器はロック解除状態およびロック状態を取るように適合されており、前記ロック解除状態は前記製剤が前記ユーザに供給されることを可能にし、前記ロック状態は前記製剤が前記ユーザに供給されることを可能にしない、請求項１から６のいずれか１項に記載の吸入器。
【請求項８】
前記吸入器はデータを受信するように適合されたデータ受信手段を備え、前記吸入器は、前記データ受信手段が受信したデータに応答してある状態から別の状態に変化するように適合されている、請求項７に記載の吸入器。
【請求項９】
前記吸入器は、複数のコンパートメントを備える複数回投与容器に含まれる製剤を供給するための複数回投与吸入器である、請求項１から８のいずれか１項に記載の吸入器。
【請求項１０】
請求項１から９のいずれか１項に記載の吸入器と、
前記製剤を含む前記容器とを備えるシステムであって、前記容器は前記情報を記憶する前記データ記憶手段をさらに備える、システム。
【請求項１１】
製剤を備える容器であって、前記容器は情報を記憶するデータ記憶手段をさらに備え、前記容器は前記製剤をユーザに供給するように適合されており、前記容器は請求項１から９のいずれか１項に記載の吸入器で使用されるように適合されている、容器。
【請求項１２】
前記容器は導電部を備える、請求項１１に記載の容器。
【請求項１３】
前記データ記憶手段は、トランスポンダ、磁気コード、電子回路チップ、光学的に読取可能なバーコード、ＲＦＩＤおよびＮＦＣコンポーネントの少なくとも１つを備える、請求項１から１２のいずれか１項に記載の吸入器、容器および／またはシステム。
【請求項１４】
前記データ記憶手段は、蛍光染料などの光によって検出可能な着色剤を備える、請求項１から１３のいずれか１項に記載の吸入器、容器および／またはシステム。
【請求項１５】
請求項１から９または１３から１４のいずれか１項に記載の吸入器と、
前記吸入器の外部のコンピューティングデバイスとを備えるセットであって、
前記吸入器および前記コンピューティングデバイスは互いに通信するように適合されている、セット。
【手続補正２】
【補正対象書類名】明細書
【補正対象項目名】００５２
【補正方法】変更
【補正の内容】
【００５２】
３１．前記ロック解除状態は前記容器の前記吸入器内への配置を可能にし、前記ロック状態はそのような配置を可能にしない、上記局面に記載の吸入器。
【手続補正３】
【補正対象書類名】明細書
【補正対象項目名】００５３
【補正方法】変更
【補正の内容】
【００５３】
３２．前記ロック解除状態は前記吸入器の開閉を可能にし、前記ロック状態はそのような開閉を可能にしない、２つの上記局面のいずれかに記載の吸入器。
【手続補正４】
【補正対象書類名】明細書
【補正対象項目名】０１０１
【補正方法】変更
【補正の内容】
【０１０１】
８０．吸入療法のための、上記局面のいずれかに記載の吸入器、容器、システムおよび／またはセットの使用。
【手続補正書】
【提出日】令和1年6月17日(2019.6.17)
【手続補正１】
【補正対象書類名】特許請求の範囲
【補正対象項目名】全文
【補正方法】変更
【補正の内容】
【特許請求の範囲】
【請求項１】
胃腸刺激カプセルであって、
前記刺激カプセルの近くの胃腸管内の標的領域に刺激を印加するように構成され、前記印加された刺激は刺激パラメータによって特徴付けられている、物理刺激供給メカニズムと、
前記刺激パラメータをランダムに設定および変更し、それにより、前記胃腸管内の前記標的領域に印加される前記刺激の前記特性を変更するように構成された、前記物理刺激供給メカニズムと通信する制御回路と
を備え、
前記刺激は、機械的刺激、電気的刺激、磁気刺激、および熱刺激から成る群から選択され、
前記胃腸管内の前記標的領域は被験者の胃腸管壁上の標的領域である、
胃腸刺激カプセル。
【請求項２】
前記機械的刺激は、前記カプセルの振動を通して印加され、かつ前記少なくとも１つのパラメータは振動周波数である、請求項１に記載の胃腸カプセル。
【請求項３】
前記制御回路は、前記振動周波数を、生理学的範囲内の値の間でランダムに変更するように構成されるか、または
前記制御回路は、前記刺激パラメータを、前記被験者に関連した情報に基づいて変更するように構成され、前記制御回路は、前記振動周波数を、生理値を下回る値と上回る値との間でランダムに変更するように構成されるか、または
前記制御回路は、前記振動周波数を、約０．０１〜約１００００Ｈｚの範囲値の間でランダムに変更するように構成される、
請求項２に記載の胃腸カプセル。
【請求項４】
前記制御回路は、前記標的器官の状態または動作を示す信号をセンサーから取得し、前記取得した信号に基づいて刺激を生成するように構成される、請求項２に記載の胃腸カプセル。
【請求項５】
前記カプセルは、前記カプセルの回転を通して機械的刺激を印加するように構成され、前記少なくとも１つのパラメータは回転周波数であり、
前記制御回路は、前記回転周波数を、約１０，０００サイクル／秒〜約１サイクル／分の範囲の値の間でランダムに変更するように構成される、請求項１に記載の胃腸カプセル。
【請求項６】
前記カプセルは、膨縮可能なバルーンを通して機械的刺激を印加するように構成される、請求項１に記載の胃腸カプセル。
【請求項７】
カプセル本体を備え、前記カプセル本体は、前記制御回路と、前記カプセル本体に機能的に取り付けられたバルーンとを含み、前記バルーンは、前記制御回路からのコマンドに応答して膨張または収縮し、それにより機械的刺激を被験者の胃腸壁に印加するように機能し、
前記少なくとも１つのパラメータは、前記バルーンの体積であるか、または、
前記制御回路は、約１０ｍｌ〜約２００ｍｌの範囲値の間でバルーンの体積をランダムに変更するように構成される、
請求項６に記載の胃腸カプセル。
【請求項８】
前記カプセルは、電気的刺激を印加するように構成され、前記少なくとも１つのパラメータは、電気パルス周波数および電気パルス強度から成る群から選択される、請求項１に記載の胃腸カプセル。
【請求項９】
前記制御回路は、前記電気的刺激の前記少なくとも１つのパラメータを、前記生理学的範囲内の値の間でランダムに変更するように構成されるか、または
前記制御回路は、前記電気的刺激の前記少なくとも１つのパラメータを、生理値を下回る値と上回る値との間でランダムに変更するように構成されるか、または
前記制御回路は、前記電気的刺激の前記周波数を、約０．００００１Ｈｚ〜約１００００Ｈｚの範囲の値の間で変更するように構成されるか、または
前記制御回路は、前記電気的刺激の前記パルス強度を、約０．０１ｍＡ〜約１００００ｍＡの範囲の値の間で変更するように構成される、請求項８に記載の胃腸カプセル。
【請求項１０】
前記カプセルは、前記カプセルが被験者の胃腸管内部で作動される場合に、前記胃腸カプセルの近接周囲で局所的温度変化を生じるようにさらに構成され、
前記制御回路は、局所的温度変化を、約３℃〜約９６℃の範囲の値の間で生じるように構成される、請求項１〜９のいずれか一項に記載の胃腸カプセル。
【請求項１１】
刺激装置であって、
被験者の腹部に外部から取り付けるように構成された取付け要素であって、
機械的および／または電気的刺激を、被験者の前記腹部または身体の別の組織／部位の少なくとも１つの区域に印加するように構成された刺激モジュールと、
前記装置の作動中に前記機械的および／または電気的刺激の少なくとも１つのパラメータをランダムに変更するように構成されたコントローラと
を備える、刺激装置。
【請求項１２】
前記取付け要素は、ベルトの形である、請求項１１に記載の刺激装置。
【請求項１３】
前記外部装置は、各々がランダムで無秩序な方法で与えられている、刺激のランダムな組合せを誘発するように構成される、請求項１１に記載の刺激装置。
【請求項１４】
前記使用者から受信されている前記データに基づいて、または、
前記使用者の体重、ＢＭＩ、代謝、内分泌、および他の生理学的パラメータに従った、予めプログラムされた患者の適合アルゴリズムに基づいて、または、
前記刺激に対する前記使用者の前記反応に対して機械学習機能を適用することに基づいて、
刺激を誘発または変更するように構成される、
請求項１１に記載の刺激装置。
【請求項１５】
前記カプセルは、伸びて、前記カプセルを前記胃腸管内の選択した位置にしっかりと固定するように構成された１本以上のアームをさらに備え、
前記カプセルは、胃、十二指腸、小腸、大腸および結腸から成る群から選択された前記胃腸管の少なくとも一部を刺激するように構成される、
請求項１に記載の胃腸カプセル。
【手続補正書】
【提出日】平成31年4月1日(2019.4.1)
【手続補正１】
【補正対象書類名】特許請求の範囲
【補正対象項目名】請求項１
【補正方法】変更
【補正の内容】
【請求項１】
患者の身体の一部分の２次元画像を取得することが可能なイメージングデバイスと、プログラム可能デバイスと、視認ユニットとを備える、血管構造内で血管内器具を誘導する助けとなるためのシステムの作動方法であって、
−初期計画段階（Ｐ１）中に、
−−患者の標的血管構造を含む術前３次元画像を取得及び記憶するステップ（５０）と、
−−取得された前記３次元画像から患者に固有の第１の３次元解剖学的モデル（Ｍ１）を決定するステップ（５２）であって、この第１の３次元解剖学的モデルが、前記３次元画像と同じ空間的規準内に置かれる、決定するステップ（５２）と、
−インターベンション段階（Ｐ２）中に、
−−不透明化されている又はされていない、患者の前記標的血管構造を含む１つ又は複数の術中２次元画像を取得するステップ（５４）と、
−−前記術前３次元画像と前記術中２次元画像との間の剛体変換を推定するステップ（５６）と、
−−前記剛体変換に従った前記３次元画像と前記２次元画像との間の弾性変換、及び前記器具を前記標的血管構造内へ導入することによって引き起こされる血管変形のシミュレーションを推定するステップ（５８）と、
−−患者に固有の第２の３次元モデル（Ｍ２）を得るために、患者に固有の前記第１の３次元解剖学的モデル（Ｍ１）に対して、最終的変形、すなわち前記剛体変換と前記弾性変換の組み合わせを適用するステップ（６０）と、
−−患者に固有の前記第２の３次元モデルを、取得された前記２次元画像上の重ね合わせとして表示するステップ（６２）と
を含むことを特徴とする方法。
【手続補正２】
【補正対象書類名】特許請求の範囲
【補正対象項目名】請求項１１
【補正方法】変更
【補正の内容】
【請求項１１】
プログラム可能デバイスのプロセッサによるプログラムの実行中に、請求項１〜９のいずれか一項に記載の方法のステップを実施するための命令を含むコンピュータプログラム。
【手続補正３】
【補正対象書類名】明細書
【補正対象項目名】発明の名称
【補正方法】変更
【補正の内容】
【発明の名称】血管構造内で血管内器具を誘導する助けとなるためのシステム及び同システムの作動方法